(57)【特許請求の範囲】
【請求項１】
掃き出し窓が設けられた建物の外壁に面して設けられ、掃き出し窓が内側にくるように配置され固定される鳥居部材と、鳥居部材の建物に対面する面と反対側の面に固定される増築構造物と、を備える増築構造物支持構造であって、
鳥居部材は、地盤に埋設された基礎により自立し、当該外壁から５ｍｍ〜１５ｍｍ離れた位置に固定され、
建物の掃き出し窓の両脇にそれぞれ配置され、地盤に固定された基礎に支持され自立する一対の柱部材と、
建物の掃き出し窓の上方に配置され、その両端が一対の柱部材の上端に接続される桁部材と、を備え、
増築構造物は、
四角形状の外形を形成する骨部材に透光性部材が固定され、垂直方向に延びる一方の側縁が、鳥居部材の一方の柱部材に固定される第１壁部と、
四角形状の外形を形成する骨部材に透光性部材が固定され、第１壁部に対面する位置に配置され、垂直方向に延びる一方の側縁が、鳥居部材の他方の柱部材に固定される第２壁部と、
四角形状の外形を形成する骨部材に透光性部材が固定され、第１壁部及び第２壁部と直交する向きに配置され、一方の側縁が第１壁部の他方の側縁に連結され、他方の側縁が第２壁部の他方の側縁に連結される第３壁部と、
四角形状の外形を形成する骨部材に透光性部材が固定され、３つの側縁が、第１壁部、第２壁部及び第３壁部の上端側側縁にそれぞれ連結され、１つの側縁が鳥居部材の桁部材に連結される屋根部と、を備える増築構造物支持構造。  
【請求項２】
請求項１に記載の増築構造物支持構造により、増築構造物を設置する増築構造物支持方法であって、
鳥居部材を、掃き出し窓が設けられた建物の外壁に面した位置であって、当該外壁から５ｍｍ〜１５ｍｍ離れた位置において、一対の柱部材の間に、掃き出し窓がくるように配置し、一対の柱部材の下端側を地盤に固定された基礎に固定する工程と、
ガーデンルームの第１壁部及び第２壁部の垂直方向に延びる一方の側縁を、鳥居部材の一対の柱部材の建物に対面する面と反対側の面にそれぞれ固定する工程と、
ガーデンルームの第３壁部の垂直方向に延びる２つの側縁を、ガーデンルームの第１壁部及び第２壁部の他方の側縁にそれぞれ固定する工程と、
ガーデンルームの３つの側縁を、第１壁部、第２壁部及び第３壁部の上端側側縁にそれぞれ連結し、１つの側縁を鳥居部材の桁部材の建物に対面する面と反対側の面に連結する工程と、を含む増築構造物支持方法。  
【発明の詳細な説明】
【技術分野】
【０００１】  本発明は、増築構造物支持構造に関する。
【背景技術】
【０００２】  一般的に、テラスは建物の窓サッシ上部の屋外側に屋根部と屋根部を支える柱とから構成されるものや、屋根部分の両側にアルミニウム鋳物などのサイドフレームを直接建物の躯体に取付ける支柱を設けないタイプがある。それらのものは建物の外壁に孔をあけて、躯体柱にネジなどで固定をしていた。【０００３】  特許文献１には、屋根材８を支持する両側のサイドフレーム３の元側の端部をネジによって建屋の躯体柱１６に固定するとともに、（イ）サイドフレーム３の元側の端部に、躯体柱１６に仮止めするための仮止め孔１７を形成し、（ロ）サイドフレーム３の元側の端部には、複数のネジ案内孔１８を斜めに形成し、（ハ）ネジ２９を上記ネジ案内孔１８から上記躯体柱１６に斜めに互いに交差する方向にねじ込んで固定した技術が開示されている。
【先行技術文献】
【特許文献】
【０００４】
【特許文献１】特開平１０−８８７５８号公報
【発明の概要】
【発明が解決しようとする課題】
【０００５】  本発明は、掃き出し窓を設けた建物の外壁とテラスの間に、アルミニウムの柱材と桁材を配置して外壁の代わりにすることで、建物の外壁に孔をあけることなく、テラスやガーデンルーム、サンルームなどを取付けることができる。
【課題を解決するための手段】
【０００６】  （１）  掃き出し窓が設けられた建物の外壁に面して設けられ、当該外壁から５ｍｍ〜１５ｍｍ離れた位置において、掃き出し窓が内側にくるように配置され固定される鳥居部材と、鳥居部材に固定される増築構造物と、を備える増築構造物支持構造であって、鳥居部材は、建物の掃き出し窓の両脇にそれぞれ配置され、地盤に固定された基礎に支持され自立する一対の柱部材と、建物の掃き出し窓の上方に配置され、その両端が一対の柱部材の上端に接続される桁部材と、を備え、増築構造物は、四角形状の外形を形成する骨部材に透光性部材が固定され、垂直方向に延びる一方の側縁が、鳥居部材の一方の柱部材に固定される第１壁部と、四角形状の外形を形成する骨部材に透光性部材が固定され、第１壁部に対面する位置に配置され、垂直方向に延びる一方の側縁が、鳥居部材の他方の柱部材に固定される第２壁部と、四角形状の外形を形成する骨部材に透光性部材が固定され、第１壁部及び第２壁部と直交する向きに配置され、一方の側縁が第１壁部の他方の側縁に連結され、他方の側縁が第２壁部の他方の側縁に連結される第３壁部と、四角形状の外形を形成する骨部材に透光性部材が固定され、３つの側縁が、第１壁部、第２壁部及び第３壁部の上端側側縁にそれぞれ連結され、１つの側縁が鳥居部材の桁部材に連結される屋根部と、を備える増築構造物支持構造。【０００７】  （１）の構成によれば、本発明は、掃き出し窓を設けた建物の外壁とテラスの間に、アルミニウムの柱材と桁材を配置して外壁の代わりにすることで、建物の外壁に孔をあけることなく、テラスやガーデンルーム、サンルームなどを取付けることができる。【０００８】  （２）  （１）に記載の増築構造物支持構造により、増築構造物を設置する増築構造物支持方法であって、鳥居部材を、掃き出し窓が設けられた建物の外壁に面した位置であって、当該外壁から５ｍｍ〜１５ｍｍ離れた位置において、一対の柱部材の間に、掃き出し窓がくるように配置し、一対の柱部材の下端側を地盤に固定された基礎に固定する工程と、ガーデンルームの第１壁部及び第２壁部の垂直方向に延びる一方の側縁を、鳥居部材の一対の柱部材にそれぞれ固定する工程と、ガーデンルームの第３壁部の垂直方向に延びる２つの側縁を、ガーデンルームの第１壁部及び第２壁部の他方の側縁にそれぞれ固定する工程と、ガーデンルームの３つの側縁を、第１壁部、第２壁部及び第３壁部の上端側側縁にそれぞれ連結し、１つの側縁を鳥居部材の桁部材に連結する工程と、を含む増築構造物支持方法。【０００９】  （２）の構成によれば、請求項１と同様の効果を奏することで、２０００年からの新築住宅などに義務化された「１０年間の瑕疵担保責任保証」や住宅メーカーなどが保証する「１０年間の住宅性能保証」に対応することができる。
【発明の効果】
【００１０】  本発明によれば、掃き出し窓を設けた建物の外壁とテラスの間に、アルミニウムの柱材と桁材を配置して外壁の代わりにすることで、建物の外壁に孔をあけることなく、テラスやガーデンルーム、サンルームなどを取付けることができる。
【図面の簡単な説明】
【００１１】
【図１】増築構造物支持構造の斜視図である。
【図２】現況正面図である。
【図３】鳥居部材正面図である。
【図４】増築構造物と鳥居部材の縦断面図である。
【発明を実施するための形態】
【００１２】  本発明の実施形態に係る増築構造物支持構造１について説明する。なお、以下の説明において、同一の構成には同一の符号を付し、その説明を省略又は簡略化する。
本発明の実施形態に係る増築構造物支持構造１の構成を図面に基づいて説明する。
図１は、増築構造物支持構造の斜視図である。
増築構造物支持構造１は、鳥居部材１０と、増築構造物２０と、を備える。
【００１３】  鳥居部材１０は、地盤に埋設された基礎１３により自立し、増築構造物２０を建物１００に隣接した位置に固定する。
鳥居部材１０は、掃き出し窓１１０が設けられた建物１００の外壁に面して設けられ、当該外壁から５ｍｍ〜１５ｍｍ離れた位置において、掃き出し窓１１０が内側にくるように配置され固定される。
鳥居部材１０は、一対の柱部材１１と、桁部材１２と、を備える。
【００１４】  一対の柱部材１１は、建物１００の掃き出し窓１１０の両脇にそれぞれ配置され、地盤に固定された基礎１３に支持され自立する。
一対の柱部材１１は、断面が四角い形状に形成されている。一対の柱部材１１は、例えば、アルミで形成される。
一対の柱部材１１は、鳥居部材１０を地盤に自立させる。
一対の柱部材１１は、鳥居部材１０をコンクリートを使った基礎１３で地盤に自立させる。
【００１５】  桁部材１２は、建物１００の掃き出し窓１１０の上方に配置され、その両端が一対の柱部材１１の上端に接続される。
桁部材１２は、断面が四角い形状に形成されている。なお、桁部材１２は、断面が屋根勾配に合せた台形の形状で形成してもよい。桁部材１２は、例えば、アルミで形成される。
桁部材１２は、一対の柱部材１１を連結する。
【００１６】  増築構造物２０は、ガーデンルーム、サンルーム、テラス屋根等、既存の建物１００に増築される構造物である。
増築構造物２０は、鳥居部材１０に固定される。
増築構造物２０は、第１壁部２１と、第２壁部２２と、第３壁部２３と、屋根部２４と、を備える。
【００１７】  第１壁部２１は、垂直方向に延びる一方の側縁が、鳥居部材１０の一方の柱部材１１に固定される。
第１壁部２１は、四角形状の外形を形成する骨部材に透光性部材（例えば、ポリカーボネート板や強化ガラス板）が固定されている。なお、第１壁部２１は、扉を備えることもできる。
第１壁部２１は、日光を取り入れるとともに、外気を遮断する室内を形成し、雨や風などを遮り快適な空間を形成する。
【００１８】  第２壁部２２は、第１壁部２１に対面する位置に配置され、垂直方向に延びる一方の側縁が、鳥居部材１０の他方の柱部材１１に固定される。
第２壁部２２は、四角形状の外形を形成する骨部材に透光性部材（例えば、ポリカーボネート板や強化ガラス板）が固定されている。なお、第２壁部２２は、扉を備えることもできる。
第２壁部２２は、日光を取り入れるとともに、外気を遮断する室内を形成し、雨や風などを遮り快適な空間を形成する。
【００１９】  第３壁部２３は、第１壁部２１及び第２壁部２２と直交する向きに配置され、一方の側縁が第１壁部２１の他方の側縁に連結され、他方の側縁が第２壁部２２の他方の側縁に連結される。
第３壁部２３は、四角形状の外形を形成する骨部材に透光性部材（例えば、ポリカーボネート板や強化ガラス板）が固定されている。なお、第３壁部２３は、扉を備えることもできる。
第３壁部２３は、日光を取り入れるとともに、外気を遮断する室内を形成し、雨や風などを遮り快適な空間を形成する。
【００２０】  屋根部２４は、３つの側縁が、第１壁部２１、第２壁部２２及び第３壁部２３の上端側側縁にそれぞれ連結され、１つの側縁が鳥居部材１０の桁部材１２に連結される。
屋根部２４は、四角形状の外形を形成する骨部材に透光性部材（例えば、ポリカーボネート板や強化ガラス板）が固定されている。
屋根部２４は、日光を取り入れるとともに、外気を遮断する室内を形成し、雨や風などを遮り快適な空間を形成する。
【００２１】  次に、本発明の実施形態に係る増築構造物支持構造１の使用方法について説明する。
図２は、現況正面図である。図３は、鳥居部材１０正面図である。図４は、増築構造物２０と鳥居部材１０の縦断面図である。
まず、鳥居部材１０を掃き出し窓１１０が設けられた建物１００の外壁に面した位置であって、当該外壁から５ｍｍ〜１５ｍｍ離れた位置において、一対の柱部材１１の間に、掃き出し窓１１０がくるように配置し、一対の柱部材１１の下端側を地盤に固定された基礎１３に固定する。
次に、ガーデンルームの第１壁部２１及び第２壁部２２の垂直方向に延びる一方の側縁を鳥居部材１０の一対の柱部材１１にそれぞれ固定する。
次に、ガーデンルームの第３壁部２３の垂直方向に延びる２つの側縁をガーデンルームの第１壁部２１及び第２壁部２２の他方の側縁にそれぞれ固定する。
次に、ガーデンルームの３つの側縁を第１壁部２１、第２壁部２２及び第３壁部２３の上端側側縁にそれぞれ連結し、１つの側縁を鳥居部材１０の桁部材１２に連結する。
【００２２】  なお、本発明は前記実施形態に限定されるものではなく、本発明の目的を達成できる範囲での変形、改良等は本発明に含まれるものである。
【符号の説明】
【００２３】１      増築構造物支持構造
１０    鳥居部材
１１    一対の柱部材
１２    桁部材
１３    基礎
２０    増築構造物
２１    第１壁部
２２    第２壁部
２３    第３壁部
２４    屋根部
１００  建物
１１０  掃き出し窓
【図１】
0005603920.tif 000002
【図２】
0005603920.tif 000003
【図３】
0005603920.tif 000004
【図４】
0005603920.tif 000005